(57)【要約】【課題】  装置が作動するヘッドスピードの値を変更して簡単に所定の値に設定できるゴルフスイング練習機を提供すること。【解決手段】  本発明は、錘体３と、磁石４と、抜け止め部５と、を備えたヘッド部Ｈを有し、スイング速度が所定の値を超えた際に、前記磁石４による前記錘体３の吸着が解除され、前記抜け止め部５との間で衝突音が発生するゴルフスイング練習機１０であって、回転可能に環装されたダイヤル部材６の内周面と螺合するとともに、前記錘体３の磁石側端面と当接する環状部材３０と、前記磁石４を保持する磁石保持部材４０と、を備え、当該磁石保持部材４０が前記環状部材３０に形成された凹所内又は透孔内に配置されており、前記ダイヤル部材６を回転した場合に、前記環状部材３０の位置を可変にすることで、前記磁石４と前記錘体３との距離を変更できるようにしたゴルフスイング練習機１０である。【選択図】図１
2020174735.tif 000002
【特許請求の範囲】
【請求項１】
シャフトの先端部に固定される連結部と、
前記連結部から延び出る突出部と、
前記突出部に沿ってスライド移動可能な状態で当該突出部に外装された錘体と、
前記錘体を前記連結部側へ引き寄せて吸着し保持する磁石と、
前記突出部の先端部に形成され、前記錘体が前記突出部から抜け出すことを防止する抜け止め部と、
を備えたヘッド部を有し、スイング速度が所定の値を超えた際に、前記磁石による前記錘体の吸着が解除されるように作動し、前記錘体が移動して前記抜け止め部との間で衝突音が発生するように構成されたゴルフスイング練習機であって、
前記突出部に対して回転可能に環装されたダイヤル部材と、
ダイヤル部材の内周面と螺合するとともに、前記錘体の磁石側端面と当接する環状部材と、
前記錘体の磁石側端面を吸着するための磁石を保持する磁石保持部材と、
を備え、
当該磁石保持部材は、前記環状部材に形成された凹所内又は透孔内に配置されており、かつ、前記錘体の移動方向における前記磁石保持部材の位置は常時固定されており、
前記ダイヤル部材を回転した場合には、前記錘体の移動方向における前記環状部材の位置を可変にすることで、前記磁石と前記錘体との距離を変更できるようにしたことを特徴とするゴルフスイング練習機。
【請求項２】
シャフトの先端部に固定される連結部と、
前記連結部から延び出る突出部と、
前記突出部に沿ってスライド移動可能な状態で当該突出部に外装された錘体と、
前記錘体を前記連結部側へ引き寄せて吸着し保持する磁石と、
前記突出部の先端部に形成され、前記錘体が前記突出部から抜け出すことを防止する抜け止め部と、
を備えたヘッド部を有し、スイング速度が所定の値を超えた際に、前記磁石による前記錘体の吸着が解除されるように作動し、前記錘体が移動して前記抜け止め部との間で衝突音が発生するように構成されたゴルフスイング練習機であって、
前記突出部に対して回転可能に環装されたダイヤル部材と、
当該ダイヤル部材の内周面と螺合するとともに、前記錘体の磁石側端面と当接する環状部材と、
前記ダイヤル部材の回転に応じて当該ダイヤル部材の内面に形成された環状ギヤの凹凸と順次係合する位置決め部を有する位置決め部材と、
前記錘体の磁石側端面を吸着するための磁石を保持する磁石保持部材と、
を備え、
前記錘体の移動方向における前記磁石保持部材の位置を常時固定し、かつ、前記ダイヤル部材を回転した場合には前記錘体の移動方向における前記環状部材の位置を可変にすることで、前記磁石と前記錘体との距離を変更できるようにしたことを特徴とするゴルフスイング練習機。
【請求項３】
前記錘体の移動方向における前記磁石保持部材の位置の常時固定は、前記突出部に形成された拡径部が当該磁石保持部材の錘体側端面に圧接することで得られ、
前記ダイヤル部材を回転した場合において、前記錘体の移動方向における前記環状部材の位置変更は、前記環状部材が前記錘体の移動方向においてのみ摺動可能となるように前記磁石保持部材と互いに係合する状態にて配置されており、前記ダイヤル部材と共に前記環状部材が回転しないようになっていることで得られるものであることを特徴とする請求項１又は請求項２に記載のゴルフスイング練習機。
【請求項４】
前記磁石保持部材は、合成樹脂製であって、前記磁石の端面と前記錘体の磁石側端面との衝突による衝撃を軽減することができるものであることを特徴とする請求項１〜３の何れか一項に記載のゴルフスイング練習機。
【請求項５】
前記磁石保持部材は、前記環状部材に形成された非円筒状の凹所に前記錘体側から嵌め込まれており、かつ、前記連結部側へは抜け出さないように当該環状部材によって係止されているものであることを特徴とする請求項１〜４の何れか一項に記載のゴルフスイング練習機。
【請求項６】
前記位置決め部材は、合成樹脂製であって、環状に形成されており、外周部に前記位置決め部を支持する板バネ部を有し、前記ダイヤル部材の内側にて回転不能に固定されていることを特徴とする請求項２に記載のゴルフスイング練習機。
【請求項７】
前記ダイヤル部材は、装置が作動するスイング速度の値を示す目盛が記載されたシールが外周面に貼り付けられているものである請求項１〜６の何れか一項に記載のゴルフスイング練習機。
【発明の詳細な説明】
【技術分野】
【０００１】
本発明は、ゴルフのスイング練習の際にヘッドスピードが一定の値を超える瞬間を認識できるとともに、装置が作動するヘッドスピード（又はスイングスピード）の値を変更して簡単に所定の値に設定できるゴルフスイング練習機に関するものである。
【背景技術】
【０００２】
従来、ヘッドが振られる速度が一定の値を超えると、磁石による錘の吸着が解除され、当該錘がヘッド（装置）の内部空間の反グリップ側に衝突することで衝突音が発生し、ヘッドスピードが一定の値を超えたことを確認することができるゴルフスイング練習機が提案されている（特許文献１、特許文献２、特許文献３）。
上記特許文献１及び特許文献２のスイング練習機においては、装置が作動するヘッドスピードの値をスイング練習者が自分の運動能力や練習状況に合わせて適宜変更できるものとなっているが、装置が作動するヘッドスピードを微調整する際における操作の状態を明確化できるものとはなっていない。
【０００３】
さらに、上記特許文献１〜３のスイング練習機においては、錘がヘッド（装置）の内部空間に納められているため、錘による衝突音が小さく、ヘッドスピードが一定の値を超えた瞬間を認識しにくいという問題がある。
そこで、本件出願人は、既に特許文献４（特願２０１６−１４５０５２）において、上記の課題を解決し、錘を外部に露出するように装着することで、錘の衝突音を大きくすることができ、かつ、錘を大きくすることで衝突の際の衝撃を大きくすることができ、正しいスイングによってヘッドスピードが一定の値を超えているか否かを認識しやすいゴルフスイング練習機を提案している。
【先行技術文献】
【特許文献】
【０００４】
【特許文献１】特許第５６６２９４８号公報
【特許文献２】実用新案登録第３０７８７８５号公報
【特許文献３】特許第５４９７２００号公報
【特許文献４】特開２０１８−１５０２５号公報
【発明の概要】
【発明が解決しようとする課題】
【０００５】
上記のようなゴルフスイング練習機において、錘を吸着する磁石としては、磁力が強いネオジム磁石を使用することが望まれるが、ネオジム磁石は衝撃によって割れるおそれがあるという問題や、大型のものは価格が高くなるという問題がある。
そこで、小型のネオジム磁石によっても錘を吸引でき、かつ、錘によってネオジム磁石に直接大きな衝撃を与えない構造を有するゴルフスイング練習機を実現したいという課題がある。
さらに、強度及び耐久性に優れ、組付作業が容易な構造でありながら、装置が作動するヘッドスピードの値を変更して簡単に所定の値に設定できるゴルフスイング練習機を提供したいという課題がある。
また、装置が作動するヘッドスピードを微調整する際における操作の状態を明確化するために、操作音を発する構造を備えたゴルフスイング練習機を実現するには、部品点数が増大し、部品の故障が発生しやすいという問題や、組付作業に手間がかかるといった問題がある。
【０００６】
さらに、スイングスピードを調整するダイヤルの位置とその目盛の位置を合わせることは難しいという問題がある。
そこで、コンパクトな構造で、強度及び耐久性に優れ、組付作業が容易であって、かつ、ダイヤルの位置とその目盛の位置を正しく容易に合わせることができる構造を有するゴルフスイング練習機を実現したいという課題がある。
【０００７】
本発明の目的は、装置が作動するヘッドスピードの値を簡単に変更して所定の値に設定することができ、錘を外部に露出するように装着することで錘による衝突音（作動音）を大きくすることができるとともに、小型の磁石を用いるコンパクトな構造で、強度及び耐久性に優れ、組付作業が容易なゴルフスイング練習機を提供することにある。
また、本発明の他の目的は、装置が作動するヘッドスピードの値を微調整する際における操作の状態を明確化することができ、操作フィーリングに優れたゴルフスイング練習機を提供することにある。
さらに、本発明の他の目的は、ダイヤルの位置とその目盛の位置を正しく容易に合わせることができる構造を有するゴルフスイング練習機を提供することにある。
【課題を解決するための手段】
【０００８】
（１）本発明は、「シャフトの先端部に固定される連結部と、前記連結部から延び出る突出部と、前記突出部に沿ってスライド移動可能な状態で当該突出部に外装された錘体と、前記錘体を前記連結部側へ引き寄せて吸着し保持する磁石と、前記突出部の先端部に形成され、前記錘体が前記突出部から抜け出すことを防止する抜け止め部と、を備えたヘッド部を有し、スイング速度が所定の値を超えた際に、前記磁石による前記錘体の吸着が解除されるように作動し、前記錘体が移動して前記抜け止め部との間で衝突音が発生するように構成されたゴルフスイング練習機であって、前記突出部に対して回転可能に環装されたダイヤル部材と、ダイヤル部材の内周面と螺合するとともに、前記錘体の磁石側端面と当接する環状部材と、前記錘体の磁石側端面を吸着するための磁石を保持する磁石保持部材と、を備え、当該磁石保持部材は、前記環状部材に形成された凹所内又は透孔内に配置されており、かつ、前記錘体の移動方向における前記磁石保持部材の位置は常時固定されており、前記ダイヤル部材を回転した場合には、前記錘体の移動方向における前記環状部材の位置を可変にすることで、前記磁石と前記錘体との距離を変更できるようにしたゴルフスイング練習機」を最も主要な特徴とするものである。
【０００９】
（２）また、本発明は、「前記ダイヤル部材の回転に応じて当該ダイヤル部材の内面に形成された環状ギヤの凹凸と順次係合する位置決め部を有する位置決め部材を備えたゴルフスイング練習機」を主要な特徴とするものである。
（３）本発明のゴルフスイング練習機において、前記前記錘体の移動方向における前記磁石保持部材の位置の常時固定は、前記突出部に形成された拡径部が当該磁石保持部材の錘体側端面に圧接することで得られ、前記ダイヤル部材を回転した場合において、前記錘体の移動方向における前記環状部材の位置変更は、前記環状部材が前記錘体の移動方向においてのみ摺動可能となるように前記磁石保持部材と互いに係合する状態にて配置されており、前記ダイヤル部材と共に前記環状部材が回転しないようになっていることで得られるものであってもよい。
（４）本発明のゴルフスイング練習機において、前記磁石保持部材は、合成樹脂製であって、前記磁石の端面と前記錘体の磁石側端面との衝突による衝撃を軽減することができるものであるとよい。
【００１０】
（５）本発明のゴルフスイング練習機において、前記磁石保持部材は、前記環状部材に形成された非円筒状の凹所に前記錘体側から嵌め込まれており、かつ、前記連結部側へは抜け出さないように当該環状部材によって係止されているものであってもよい。
（６）本発明のゴルフスイング練習機において、前記位置決め部材は、合成樹脂製であって、環状に形成されており、外周部に前記位置決め部を支持する板バネ部を有し、前記ダイヤル部材の内側にて回転不能に固定されているものであってもよい。
（７）本発明のゴルフスイング練習機において、前記ダイヤル部材は、装置が作動するスイング速度の値を示す目盛が記載されたシールが外周面に貼り付けられているものであるとよい。
【発明の効果】
【００１１】
（１）上記のように構成した本発明のゴルフスイング練習機においては、ダイヤル部材を回転操作することで、環状部材を移動させて錘体の位置を簡単かつ確実に変更できるため、スイングの際において、前記磁石による前記錘体の吸着が解除されて装置が作動するヘッド部のスピード（スイング速度）を適宜変更してスイング練習を行うことができる。
特に、前記錘体の磁石側端面を吸着するための磁石を保持する磁石保持部材が、前記環状部材に形成された凹所内又は透孔内に配置されていることで、磁石に錘体が直接衝突することを防ぐことができ、装置の耐久性を高めることができるばかりか、磁石と錘体との間に僅かな隙間のみを設けることができ、磁石による錘体の吸着・吸引力を無駄なく活用することができる。
従って、小型で割れ易い磁石を用いることができるとともに、装置をコンパクトな構成とすることが可能となる。
【００１２】
（２）本発明のゴルフスイング練習機において、前記ダイヤル部材の回転に応じて当該ダイヤル部材の内面に形成された環状ギヤの凹凸と順次係合する位置決め部を有する位置決め部材を備えている場合においては、装置が作動するヘッドスピードの値を所定の値に容易に設定できるばかりか、装置が作動するヘッドスピードの値を微調整する際における操作の状態を明確化することができ、操作フィーリングに優れたゴルフスイング練習機を提供することができる。
【００１３】
（３）本発明のゴルフスイング練習機において、前記突出部に形成された拡径部が磁石保持部材の錘体側端面に圧接することで前記磁石保持部材の位置の常時固定が得られ、前記ダイヤル部材を回転した場合において、前記錘体の移動方向における前記環状部材の位置変更が、前記環状部材が前記錘体の移動方向においてのみ摺動可能となるように前記磁石保持部材と互いに係合する状態にて配置されており、前記ダイヤル部材と共に前記環状部材が回転しないようになっていることで得られる場合には、簡潔で耐久性に優れた構造にて装置が作動するヘッドスピードの値を変更することができる。
【００１４】
（４）また、本発明のゴルフスイング練習機において、前記磁石保持部材を合成樹脂製であって、前記磁石の端面と前記錘体の磁石側端面との衝突による衝撃を軽減することができるものを採用することで、磁石の損傷を防ぎ、装置の耐久性を高めることができる。
（５）本発明のゴルフスイング練習機において、前記磁石保持部材が、前記環状部材に形成された非円筒状の凹所に前記錘体側から嵌め込まれており、かつ、前記連結部側へは抜け出さないように当該環状部材によって係止されているものとすることで、装置の組付作業が容易となり、かつ、ダイヤル部材が回転操作された際において環状部材がダイヤル部材と共に回転してしまうことを簡潔な構成で防止することができる。
【００１５】
（６）本発明のゴルフスイング練習機において、前記位置決め部材が合成樹脂製であって、環状に形成されており、外周部に前記位置決め部を支持する板バネ部を有し、前記ダイヤル部材の内側にて回転不能に固定されているものである場合には、部品点数を増大させることなく、環状ギヤの凹凸と順次係合する位置決め部を実現することができる。
（７）本発明のゴルフスイング練習機において、装置が作動するスイング速度の値を示す目盛が記載されたシールが、前記ダイヤル部材の外周面に貼り付けられている場合には、ダイヤルの位置とその目盛の位置を正しく容易に合わせることができる。
【図面の簡単な説明】
【００１６】
【図１】図１は本発明を具体化した一実施形態のゴルフスイング練習機の先端部付近を示し、（Ａ）はヘッド部の縦断面図、（Ｂ）はヘッド部の磁石保持部材及び環状部材を省略した部分縦断面図、（Ｃ）はヘッド部の部分縦断面図である。
【図２】図２は本発明のゴルフスイング練習機の全体と拡大したヘッド部を示す正面図である。
【図３】図３は本発明のゴルフスイング練習機のヘッド部を構成する部品の分解斜視図である。
【図４】図４は本発明のゴルフスイング練習機の連結部を示し、（Ａ）は正面図、（Ｂ）は左側面図、（Ｃ）は位置決め部材を組み付けた様子を示す平面図である。
【図５】図５は本発明のゴルフスイング練習機のダイヤル部材及びラベルを示し、（Ａ）はダイヤル部材の正面図、（Ｂ）はダイヤル部材の斜視図、（Ｃ）はダイヤル部材の平面図、（Ｄ）はダイヤル部材の底面図、（Ｅ）は目盛が記載されたシールの正面図である。
【図６】図６は本発明のゴルフスイング練習機の位置決め部材を示し、（Ａ）は正面図、（Ｂ）は左側面図、（Ｃ）は平面図、（Ｄ）は底面図、（Ｅ）は斜視図である。
【図７】図７は本発明のゴルフスイング練習機の環状部材を示し、（Ａ）は正面図、（Ｂ）は左側面図、（Ｃ）は平面図、（Ｄ）は底面図、（Ｅ）は斜視図、（Ｆ）は磁石保持部材を組み付けた様子を示す平面図である。
【図８】図８は本発明のゴルフスイング練習機の磁石保持部材を示し、（Ａ）は正面図、（Ｂ）は左側面図、（Ｃ）は平面図、（Ｄ）は底面図、（Ｅ）は斜視図、（Ｆ）は磁石を組み付けた様子を示す正面図、（Ｇ）は磁石を組み付けた様子を示す左側面図、（Ｈ）は磁石を組み付けた様子を示す平面図、（Ｉ）は磁石を組み付けた様子を示す底面図である。
【図９】図９は本発明のゴルフスイング練習機の錘体と磁石（及び環状部材）の位置関係を示す図であって、（Ａ）は作動するヘッドスピードを低く設定した状態を示す部分断面図、（Ｂ）は作動するヘッドスピードを高く設定した状態を示す部分断面図、（Ｃ）及び（Ｄ）は錘体に磁石が吸着した状態を示す部分断面図である。
【図１０】図１０は本発明のゴルフスイング練習機のヘッド部を示し、（Ａ）は装置が作動するヘッドスピードを低く設定した状態を示す正面図、（Ｂ）は装置が作動するヘッドスピードを低く設定した状態を示す部分縦断面図である。
【図１１】図１１は本発明のゴルフスイング練習機のヘッド部を示し、（Ａ）は平面図、（Ｂ）は装置が作動して錘体が抜け止め部に衝突した瞬間の状態を示す正面図である。
【発明を実施するための形態】
【００１７】
本発明のゴルフスイング練習機は、「シャフトの先端部に固定される連結部と、前記連結部から延び出る突出部と、前記突出部に沿ってスライド移動可能な状態で当該突出部に外装された錘体と、前記錘体を前記連結部側へ引き寄せて吸着し保持する磁石と、前記突出部の先端部に形成され、前記錘体が前記突出部から抜け出すことを防止する抜け止め部と、を備えたヘッド部を有し、スイング速度が所定の値を超えた際に、前記磁石による前記錘体の吸着が解除されるように作動し、前記錘体が移動して前記抜け止め部との間で衝突音が発生するように構成されたゴルフスイング練習機であって、前記突出部に対して回転可能に環装されたダイヤル部材と、ダイヤル部材の内周面と螺合するとともに、前記錘体の磁石側端面と当接する環状部材と、前記錘体の磁石側端面を吸着するための磁石を保持する磁石保持部材と、を備え、当該磁石保持部材は、前記環状部材に形成された凹所内又は透孔内に配置されており、かつ、前記錘体の移動方向における前記磁石保持部材の位置は常時固定されており、前記ダイヤル部材を回転した場合には、前記錘体の移動方向における前記環状部材の位置を可変にすることで、前記磁石と前記錘体との距離を変更できるようにしたゴルフスイング練習機」及び「前記ダイヤル部材の回転に応じて当該ダイヤル部材の内面に形成された環状ギヤの凹凸と順次係合する位置決め部を有する位置決め部材を備えたゴルフスイング練習機」であって、以下において説明する実施形態などにより好適に具体化することができる。
【００１８】
以下、本発明を具体化したゴルフスイング練習機の一実施形態について説明する。
図１及び図２などに示すように、本発明の一実施形態のゴルフスイング練習機１０は、カーボン繊維強化プラスチック製のゴルフクラブ用シャフトＳと、当該シャフトＳの基端部に装着固定されたゴム製のグリップＧと、前記シャフトＳの先端部に固定されたヘッド部Ｈとから構成されている。
【００１９】
本実施形態のゴルフスイング練習機１０において、前記ヘッド部Ｈは、シャフトＳの先端部に固定された連結部１と、前記連結部１から延び出る突出部２と、前記突出部２に沿ってスライド移動可能な状態で当該突出部２に外装された略円筒状の金属製錘体３と、前記錘体３を前記シャフトＳ側へ引き寄せて吸着し保持する６個の磁石４と、前記突出部２の先端部に形成され、前記錘体３が前記突出部２から抜け出すことを防止する抜け止め部５と、前記錘体３の外周面を部分的に覆うように略円筒状に形成され、前記突出部２に対して回転可能に環装された合成樹脂製のダイヤル部材６などを備えている。
【００２０】
ここで、前記突出部２は、（１）前記連結部１の錘体側に平坦な円形状に形成された錘体側端面１ａの中央部から垂直に突出形成された雄ネジ部２ａと、（２）小径部２１、中径部２２及び大径部を備え、前記雄ネジ部２ａに螺合される雌ネジ部材２ｂとから構成されている。
よって、当該雌ネジ部材２ｂの前記連結部側の小径部２１に前記雄ネジ部２ａと螺合する雌ネジ２１ａが形成されており、当該雌ネジ部材２ｂの大径部が前記抜け止め部５を構成している。
上記の構成とすることで、後述するように、本実施形態のゴルフスイング練習機１０は複数の構成部品を順序良く簡単に組み付けることが可能となっている。
【００２１】
そして、本実施形態のゴルフスイング練習機１０は、スイング速度が所定の値を超えた際に、前記磁石４による前記錘体３の吸着が解除され、前記雌ネジ部材２ｂの小径部２１及び中径部２２に沿って前記錘体３がスライド移動し、当該錘体３が前記抜け止め部５と衝突することで「カチッ」というような衝突音（作動音）を発生するようになっている。
なお、前記抜け止め部５は、前記錘体３の外径よりも外径が大きい円環状に形成されており、その外面を覆って保護するように有底円筒状の弾性体５ａが嵌め込まれている。
【００２２】
本実施形態のゴルフスイング練習機１０において、前記連結部１、突出部２（２ａ，２ｂ）及び抜け止め部５は、磁石４が吸着しない非磁性体である金属から製造されており、前記錘体３は、磁石４が吸着する金属、例えば、ステンレスから製造されている。
例えば、前記連結部１は、形が複雑であまり強度を要しないため、亜鉛合金から製造されている。
かかる構成を採用することで、前記ヘッド部Ｈの十分な強度及び好適な重量バランスを得ることができ、耐久性と安定した動作などを得ることができる。
【００２３】
本実施形態のゴルフスイング練習機１０において、前記錘体３は、その内周面を構成する貫通孔３ａの前記連結部側端部に当該貫通孔３ａを縮径するように形成されたフランジ部３ｂを有している。このフランジ部３ｂが形成された錘体３の連結部側端面が磁石側端面であり、前記磁石４によって吸着又は吸引される部分となる。
さらに、前記錘体３は、前記貫通孔３ａに前記突出部２が挿通されることで、突出部２の外側において部分的に（特に抜け止め部５に近い部分が）外部に露出するように装着され保持されている。
また、前記錘体３を前記連結部１側へ付勢するコイルバネ７が、当該錘体３の内周面（前記フランジ部３ｂを除く貫通孔３ａの部分）と前記雌ネジ部材２ｂの小径部２１の外面との間に形成されている空間内に収納されるように配置されている。
従って、本実施形態のゴルフスイング練習機１０においては、磁石４から離れた錘体３を速やかに連結部１側（磁石側）へ戻すことができる
【００２４】
本実施形態のゴルフスイング練習機１０において、前記連結部１は、スイング練習の際のアドレス時において前記突出部２が水平方向を向くように屈曲形成されており、シャフトＳの先端部において、錘体３は、シャフトＳの延長線上から外れる方向にスライド移動可能に外装されている。
従って、本実施形態のゴルフスイング練習機１０においては、実際のゴルフクラブと同様にヘッド部Ｈの返り（回転）を感じることができるとともに、比較的重量のある錘体３を用いて大きな作動音を得ることができる。。
【００２５】
次に、前記突出部２に挿通される透孔を備えた環状の下記部材（ア）（イ）（ウ）から構成され、ダイヤル部材６の内側に収納されて、装置が作動するヘッドスピードの値を微調整するための構造、及び、ダイヤル部材６の位置を少しずつ刻みながら変更して装置が作動するヘッドスピードの値を決定するとともにダイヤル部材６の操作状態を「カチ、カチ」という操作音によって明確化するための構造について説明する。
なお、説明の便宜上、図４〜図８に示すように、前記連結部側を下方とし、前記抜け止め部側を上方とする。
上記構造を実現するため、本実施形態のゴルフスイング練習機１０においては、ダイヤル部材６の内側に、（ア）ダイヤル部材６の内周面に形成された螺旋状の溝６ａと螺合する外周面を有するとともに、前記錘体３の磁石側端面と当接する環状部材３０と、（イ）前記錘体３の磁石側端面を吸着するための磁石４を保持する磁石保持部材４０と、（ウ）前記ダイヤル部材６の回転に応じて当該ダイヤル部材６の連結部側端部の内面に形成された環状ギヤ６ｂの凹凸（凹部及び凸部）と順次係合する位置決め部６１を有する位置決め部材６０と、を備えている。
【００２６】
前記位置決め部材６０は、強度に優れ弾性を有するＰＯＭ（ポリアセタール）などの合成樹脂にて扁平な略円環状に形成されており、その外周面に互いに１２０度離間した位置にて、周方向に沿った板バネ部６２が設けられており、当該板バネ部６２の先端部に前記位置決め部６１が外方へ山形に膨出するように形成されている。
そして、３つの板バネ部６２が同時に内方へ曲げられることにより、ダイヤル部材６が何れの方向に回転操作されても、３つの位置決め部６１が前記環状ギヤ６ｂの凸部を同時に乗り越えて凹部と順次「カチ、カチ」と係合し、ダイヤルの操作状態を確認し易く、優れた操作フィーリングを得られるとともに、その設定した値の位置を維持することができる。
上記のように、複数個の板バネ部６２を採用することで、使用者が「カチ、カチ」という操作音を確実に認識させることができる。
また、前記位置決め部材６０の錘体側端部には、その外周に沿ったフランジ６３が形成されており、ダイヤル部材６の環状ギヤ６ｂの側面に当接することで、位置決め部材６０が連結部側（下方）へ抜け出さないようになっている。
従って、環状ギヤ６ｂと位置決め部６１の係合状態を簡単かつ確実に常時安定して得ることができ、ダイヤル部材６によって設定される装置が作動するヘッドスピードの値を正しく維持し、かつ、同一の値に簡単に再設定できるようになっている。
さらには、組み付け作業時おいても各部品の取扱いが容易となる。
【００２７】
さらに、前記位置決め部材６０は、その中央部の内径を３箇所縮径するように形成された小突起６４を有している。
一方、前記連結部１は、前記雄ネジ部２ａの基部に沿うように錘体側端面１ａから互いに１２０度離間して３箇所膨出形成された突起１１を有している。
そして、前記小突起６４が前記突起１１の間に形成された空間の下部に嵌まり込むことで、前記位置決め部材６０が前記連結部１の錘体側端面１ａに回動不能の状態にて密着配置されるようになっている。
従って、ダイヤル部材６を前記連結部１に対して相対回動させる操作が可能となる。
【００２８】
前記環状部材３０は、ダイヤル部材６の内側において、錘体３が連結部側（下方）に移動できる位置を制限し、かつ、錘体３が連結部側に移動できる位置（範囲）を変更するためのものである。
即ち、この環状部材３０の錘体側端面（上端面）は、スイング時において装置が作動し錘体３が磁石４による吸引を脱した時を除き、常に錘体３の連結部側端面（下端面）に当接し、錘体３と磁石４が直接接触したり衝突することを防ぐようになっている。
前記環状部材３０は、全体がリング状に形成されており、その外周面に形成された螺旋状の突条３１が前記ダイヤル部材６の螺旋状の溝６ａと螺合することで、ダイヤル部材６を回転した場合において、前記錘体３の移動方向（上下方向）における当該環状部材３０の位置変更が可能となる。
さらに、前記環状部材３０は、薄いリング状であっても強度に優れ耐衝撃性を有するＰＣ（ポリカーボネート）などの合成樹脂製であって、内径が３箇所部分的に２段階縮径されることで形成された非円筒状の凹所３２を有している
即ち、この環状部材３０は、中央部の透孔が非円形であって、かつ、連結部側に部分的に底３３を有する凹所３２を有している。
【００２９】
前記磁石保持部材４０は、強度に優れ耐衝撃性を有するＰＯＭなどの合成樹脂にて略円環状に形成されており、前記環状部材３０の凹所３２内に相対回動不能で、かつ、前記錘体３の移動方向においてのみ摺動可能となるように上方から係合して配置されている。
即ち、前記磁石保持部材４０は、前記環状部材３０に形成された非円筒状の凹所３２に前記錘体側から嵌め込まれている。
さらに、前記磁石保持部材４０は、前記凹所３２の底３３に当接することで前記連結部側へは抜け出さないように当該環状部材３０によって係止される。
上記のように前記磁石保持部材４０が、前記環状部材３０の凹所３２の底３３に当接した状態において、当該磁石保持部材４０の錘体側端面が凹所内に沈み込む深さは、図９（Ａ）に示す距離ｔＬであり、一例としての実施形態においては、約２ｍｍ程度となる。
【００３０】
前記磁石保持部材４０は、複数個の小型磁石４を定位置に固定して保護するとともに、磁石４が錘体３と吸着した状態から当該磁石４を引き離すことができるようにするためのものであって、断面凸形の２段円柱状の磁石４の小径部を下方から嵌め込むことができる磁石保持穴４１が６箇所形成されている。
前記磁石保持穴４１は、磁石４の錘体側端面（上端面）が磁石保持部材４０の錘体側端面と略面一となるサイズにて形成されている。
ここで、各磁石４の上端面が磁石保持部材４０の上端面より上方へ突出しないようにすることで、磁石４に錘体３が直接衝突することを防止して割れ易いネオジム製の磁石４であってもその破損を防ぐことができる。
また、磁石４が樹脂製の磁石保持部材４０などにて覆われているため、磁力に弱い他の財物に悪影響を与えることを防ぐことができる。
【００３１】
さらに、前記磁石保持部材４０の中央部に形成されている透孔の内径は、前記雌ネジ部材２ｂの小径部２１の外径よりも小さく、かつ、前記雄ネジ部２ａの外径よりも大きく設定されている。
従って、前記雄ネジ部２ａが雌ネジ部材２ｂの雌ネジ２１ａに螺合されると、磁石保持部材４０の上端面は小径部２１の連結部側端面（下端面）と当接し、連結部側に押し留められる。
即ち、前記錘体３の移動方向（上下方向）における前記磁石保持部材４０の位置の常時固定は、「前記突出部２に形成された拡径部」として機能する小径部２１が当該磁石保持部材４０の錘体側端面に圧接することで得られることになる。
なお、前記磁石保持部材４０の連結部側端面には、中央部の透孔に沿って脚４２が互いに１２０度離間して３箇所突出形成されており、前記連結部１の突起１１の間に形成された空間の上部に嵌まり込むことで、前記磁石保持部材４０が確実に回動不能となるようにされている。
【００３２】
上記のように、前記錘体３の移動方向における前記磁石保持部材４０の位置を常時固定し、かつ、前記ダイヤル部材６を回転した場合には前記錘体３の移動方向における前記環状部材３０の位置を可変にすることで、図９（Ａ）、図９（Ｂ）に示すように、前記磁石４と前記錘体３との距離ｔＬ、距離ｔＨを変更できるようになる。
【００３３】
ここで、装置が作動するヘッドスピードを最も低く設定したい場合には、ダイヤル部材６を回転操作して前記磁石４と前記錘体３とを離し、最も長い距離ｔＬを作動前において得られるようにする（図１０参照）。
この設定状態において、環状部材３０の底３３の上面が磁石保持部材４０の底面に当接するため、ダイヤル部材６をさらに回転させることは不能となる。
【００３４】
逆に、装置が作動するヘッドスピードを最も高く設定したい場合には、ダイヤル部材６を逆方向に回転操作して前記磁石４と前記錘体３とを接近させ、最も短い距離ｔＨを作動前において得られるようにする。
この設定状態において、環状部材３０の連結部側端面（下端面）が位置決め部材６０の錘体側端面（上端面）に当接するため、ダイヤル部材６をさらに回転させることは不能となる。
また、この設定状態であっても、磁石４の上端面が錘体３と直接衝突することは無いため、磁石４の損傷を防ぐことができる。
この距離ｔＬと距離ｔＨの差は、一例として２ｍｍ弱程度となる。
【００３５】
次に、上記にて説明したゴルフスイング練習機１０を製造する方法について説明する。
前記シャフトＳとヘッド部Ｈとの固定は、連結部１に形成されたシャフト挿入穴１ｂにシャフトＳの先端部を入れて接着固定するなどの従来技術にて容易に可能である。
なお、このシャフト挿入穴１ｂの延長線上に対応する連結部１の上面には、三角形の指標１ｃが設けられている（図１１（Ａ）参照）。
また、抜け止め部５に対する弾性体５ａの固定も接着剤を用いる従来技術にて容易に可能である。
そして、本発明のゴルフスイング練習機１０のヘッド部Ｈを構成する各部品の組み付け作業は、以下の手順にて可能である。
【００３６】
まず、ダイヤル部材６の下端部に位置決め部材６０を上方から入れ、環状ギヤ６ｂの凹部と位置決め部６１を係合させる。
次いで、前記環状部材３０の突条３１を前記ダイヤル部材６の螺旋状の溝６ａと螺合させることで、当該環状部材３０をダイヤル部材６の上部から下部に移動させ、位置決め部材６０の上側に当該環状部材３０が接するようにして配置する。
さらに、磁石保持穴４１に磁石４を嵌め入れた磁石保持部材４０をダイヤル部材６の内部に配置する作業を行うのであるが、この作業は、図３に示すように、錘体３の磁石側端面（フランジ部３ｂの下端面：図３においては上側の面）に磁石保持部材４０を載せ、磁石４を錘体３の磁石側端面に吸着させるようにして各磁石保持穴４１に磁石４を嵌め入れると良い。この状態は、図９（Ｄ）に示すような状態である。
【００３７】
上記図９（Ｄ）に示すような状態となった錘体３と磁石４と保持部材４０とをダイヤル部材６の内部に上側から入れ、さらに前記環状部材３０の凹所３２に磁石保持部材４０を嵌め入れる。
上記のように組み付けた各部品を連結部１に対して組み付ける。この場合、位置決め部材６０の小突起６４を連結部１に形成された突起１１の間に入れるようにする。
次に、コイルバネ７を錘体３の内側に入れ、さらに雌ネジ部材２ｂの小径部２１及び中径部２２を錘体３の内側に入れ、雌ネジ２１ａを連結部１の雄ネジ部２ａと螺合する。
この雄ネジ部２ａと雌ネジ２１ａの螺合に際しては、接着剤（アクリル樹脂系又はエポキシ樹脂系など）を用いて強固に固定することで、使用者による分解や錘体３が抜け飛ぶことを防ぐことができる。
【００３８】
上記のように、位置決め部材６０の上側に当該環状部材３０が接するようにして配置された状態は、錘体３と磁石４が最も接近する状態であるため、ダイヤル部材６によって設定されている装置が作動するヘッドスピードは、設計上最も高い状態となる。
従って、このダイヤル位置が装置が作動する最も速いヘッドスピードの値に対応しているため、この状態における前記指標１ｃの位置に合わせて対応する目盛を付したシール８をダイヤル部材６の外周面に貼り付ける。
このような手順を採用することで、装置が作動するヘッドスピードの値と目盛の値を簡単に合致させることができる。
なお、ダイヤル部材６の上部外周は若干拡径されており、当該拡径部分に上下方向を向いた複数個の線状突起６ｃが形成され、ダイヤル部材６の回転操作を行い易くしている。
【００３９】
上記のように構成されたゴルフスイング練習機１０においては、前記錘体３の移動方向における前記磁石保持部材４０の位置が常時固定されており、ダイヤル部材６を回転操作することで、前記錘体３の移動方向における前記環状部材３０の位置を変更することができ、前記磁石４と前記錘体３との距離を簡単に変更できる。
従って、装置が作動するヘッドスピードの値を簡単に変更することができ、かつ、位置決め部材６０を用いているため、任意の値への再設定も簡単かつ確実に行うことができる。
さらに、磁石４と錘体３との間の空間には介在する部材が無いため、両者の距離を近接させることができるため、小型の磁石４を使用でき、コンパクト化と低コストを実現できるばかりか、環状部材３０によって磁石４に錘体３が直接衝突することを防ぐことができるため、耐久性に優れたゴルフスイング練習機を提供することができる。
【００４０】
また、上記のように錘体３を外部に露出するように装着したゴルフスイング練習機１０においては、錘体３と抜け止め部５との衝突音を大きくすることができ、かつ、錘体３を大きくすることで衝突の際の衝撃や衝突音を大きくすることもでき、ヘッドスピードが一定の値を超えるインパクトの瞬間を認識しやすいものとすることができる。
【００４１】
上記のようにコイルバネ７を有するゴルフスイング練習機１０においては、スイング時において磁石４による錘体３の吸着が解除されても、スイング後すぐに錘体３を連結部側へ戻すことができる。
ここで、一般的な成人男性のゴルファーがゴルフスイング練習機１０をスイングした場合のヘッドスピードが３５ｍ／ｓ程度である場合、ダイヤル部材６によって調整できる範囲の中央と対応する目盛を３５ｍ／ｓ程度とし、当該ヘッドスピードにて装置が作動するように、錘体３の重量、磁石４の磁力、磁石４の個数、コイルバネ７の強さ、錘体３と磁石４の距離などを設定するとよい。
【００４２】
なお、本実施形態のゴルフスイング練習機１０において、前記シャフトＳの長さと、前記ヘッド部Ｈの重量は、実際のウッドゴルフクラブ又はアイアンゴルフクラブによって得られるスイングバランスと同程度となるように設定することができる。
また、錘体３がスライド移動できる距離は、５〜２０ｍｍの範囲内であることが好ましく、この錘体３がスライド移動できる距離は、錘体３がスライド移動する方向に沿った当該錘体３の長さ、当該錘体３の重量、前記突出部２の長さ、シャフトＳの延長線と突出部２が為す角度などを変更することによって適宜調節可能である。
上記のとおりの構成を採用することで、本実施形態のゴルフスイング練習機１０においては、重心の移動量が小さく、実際のゴルフクラブをスイングするのと同じような感覚でスイング練習を行うことができる。
【００４３】
さらに、本発明のゴルフスイング練習機は、上記実施形態に限定されるものではなく、シャフトやグリップの種類を変更したり、本発明の趣旨を逸脱しない範囲で、各部の構造、材質、形状、寸法、角度、設置位置、数、重量などが異なるゴルフスイング練習機において具体化して実施してもよい。
【産業上の利用可能性】
【００４４】
本発明は、スイング練習の際に装置が作動するヘッドスピードの値を簡単に変更し、再設定でき、操作性及び耐久性などに優れたゴルフスイング練習機として、産業上好適に利用可能である。
【符号の説明】
【００４５】
１０    ゴルフスイング練習機
１    連結部
１ａ  錘体側端面
１ｂ  シャフト挿入穴
１ｃ  指標
１１    突起
２    突出部（雄ネジ部２ａ＋雌ネジ部材２ｂ）
２ａ  雄ネジ部
２ｂ  雌ネジ部材
２１    小径部（拡径部）
２１ａ  雌ネジ
２２    中径部
３    錘体
３ａ  貫通孔
３ｂ  フランジ部
４    磁石（ネオジム磁石など）
５    抜け止め部
５ａ  弾性体
６    ダイヤル部材
６ａ  螺旋状の溝
６ｂ  環状ギヤ
６ｃ  線状突起
７    コイルバネ
８    シール
３０    環状部材
３１    突条
３２    非円筒状の凹所
３３    底
４０    磁石保持部材
４１    磁石保持穴
４２    脚
６０    位置決め部材
６１    位置決め部
６２    板バネ部
６３    フランジ
６４    小突起
Ｇ    グリップ
Ｈ    ヘッド部
Ｓ    シャフト
【図１】
2020174735.tif 000003
【図２】
2020174735.tif 000004
【図３】
2020174735.tif 000005
【図４】
2020174735.tif 000006
【図５】
2020174735.tif 000007
【図６】
2020174735.tif 000008
【図７】
2020174735.tif 000009
【図８】
2020174735.tif 000010
【図９】
2020174735.tif 000011
【図１０】
2020174735.tif 000012
【図１１】
2020174735.tif 000013